(57)【要約】【課題】左右両側壁の間隔よりも短い標準仕様フォークで吊下げることができるフォークリフト用バッテリケースの提供を目的とする。【解決手段】本体２の内部空間５を横割りする隔壁６を設け、左側壁３と隔壁６とフォーク差込孔７を有するフォーク差込金具７を設けることにより、左側壁３のフォーク差込金具７と隔壁６のフォーク差込金具７に左側から標準仕様フォークを差込んで、これらのフォーク差込金具７を介してバッテリケース１を安定良く吊り上げるようにする。【選択図】    図１
2004331314.tif 000002
【特許請求の範囲】
【請求項１】
複数のバッテリセルを収納するバッテリケースにその内部空間を横割りする隔壁を設け、該隔壁と該隔壁に対向するバッテリケースの側壁とにフォーク差込用の孔を有する差込部を形成したことを特徴とするフォークリフト用バッテリケース。
【請求項２】
複数のバッテリセルを収納するバッテリケースにその内部空間を横割りする複数の平行な隔壁を設け、これらの隔壁にフォーク差込用の孔を有する差込部を形成したことを特徴とするフォークリフト用バッテリケース。
【発明の詳細な説明】
【０００１】
【発明の属する技術分野】
本発明は、フォークリフトに搭載するためのバッテリケースに関する。
【０００２】
【従来の技術】
一般に、バッテリフォークリフトにおいては、多数のバッテリセル（以下、単にセルという。）を上面が開放されているバッテリケースと呼ばれる直方形箱状の容器に収納して搭載している。フォークリフトで行う荷役作業が残っているにもかかわらずバッテリ容量が低下した場合、満充電されたバッテリを収容したバッテリケースを積替えて残りの作業を行う。バッテリの交換に際しては、クレーンを用いてバッテリケースを吊り上げて交換する。又は他のフォークリフトを用いて放電したバッテリを収容したバッテリケースと満充電のバッテリを収納したバッテリケースとを積替える方法が採用されることがある。
【０００３】
バッテリケースをフォークリフトで吊り上げるためにフォークを差込むフォーク差込金具とを備えるものがあり、この種のバッテリケースとしては次掲の特許文献１、特許文献２などに記載されたものが知られている。
【０００４】
【特許文献１】
特開平１１―３０１９８７号公報
【特許文献２】
特開平１１−２２８０８６号公報
【０００５】
【発明が解決しようとする課題】
これらの特許文献に記載されているバッテリケースでは、バッテリケース本体の左右の側壁にフォーク差込金具が付設されているので、これらの従来技術によりバッテリケースを吊り上げるためにはバッテリケース本体の左右両側壁の間隔よりも長いフォークを備えるフォークリフトを用いる必要があり、多くの場合には標準仕様よりも長いフォークを備えるフォークリフトが必要になるという問題がある。
【０００６】
本発明は、この従来技術の課題を解決し、標準仕様のフォークあるいはこれよりも短いフォークを備えるフォークリフトで吊り上げることができるフォークリフトのバッテリケースを提供することを目的とする。
【０００７】
【課題を解決するための手段】
この目的を達成するため、本発明の請求項１に記載の発明に係るフォークリフト用バッテリケースは、複数のバッテリセルを収容するバッテリケースにその内部空間を左右に横割りする隔壁を設け、該隔壁と該隔壁に対向するバッテリケースの側壁とにフォーク差込用の孔を有する差込部を形成したことを特徴とするものである。
【０００８】
フォーク差込用の孔の間隔がバッテリケース本体の互いに対向する側壁の間隔よりも短くなるという作用を得ることができるので、バッテリケースの左右間隔よりも短いフォーク、例えば標準仕様のフォークを備えるフォークリフトでも安全にバッテリケースを吊り上げることができる。
【０００９】
又、隔壁によりバッテリケース本体が補強されるという作用を得ることができる。
【００１０】
更に、バッテリケース本体の互いに対向する側壁の間隔よりも短い標準仕様のフォークをフォーク差込金具に差込むと、平面視においてフォークの先端がバッテリケース本体の平面投影内に収まるという作用を得ることができる。
【００１１】
加えて、これによれば、フォークの基端寄りに荷重が受けられるという作用を得ることができる。
【００１２】
又、この目的を達成するため、本発明の請求項２に記載の発明に係るフォークリフト用バッテリケースは、複数のバッテリセルを収納するバッテリケースにその内部空間を横割りする複数の平行な隔壁を設け、これらの隔壁にフォーク差込用の孔を有する差込部を形成したことを特徴とするものである。
【００１３】
これによれば、本発明の請求項１に記載の発明よりも更にフォーク差込用の孔の間隔がバッテリケース本体の互いに対向する側壁の間隔よりも短くなり、バッテリケースの左右どちら側からでも同じように標準仕様のフォークを差込んでバッテリケースを吊り上げることができるという作用を得ることができる。
【００１４】
【発明の実施の形態】
以下、本発明の一実施例に係るフォークリフト用バッテリケースを図面に基づいて具体的に説明する。図面において、図１は本発明の一実施例に係るフォークリフト用バッテリケースを模式的に示す斜視図であり、この図１に示すように、このバッテリケース１の本体２は、上面が開放されている直方形の箱形に形成され、その左右両側壁３、４の間隔はこのバッテリケース１を搭載するフォークリフトの車体幅より少し短くしてある。このため、このバッテリケース１を吊り上げるフォークリフトの標準仕様フォーク長よりも長くなってしまうことがある。
【００１５】
このバッテリケース１には、その内部空間５を例えば３対１の割合で左右方向に横割りする隔壁６が設けられ、この隔壁６と左側壁３との間隔は前記標準仕様フォーク長よりも短くなっている。
【００１６】
これら左側壁３と隔壁６との上縁には、それぞれ前後方向に適当な間隔を置いて２個の逆溝形のフォーク差込金具７が例えば溶接により固定され、各フォーク差込金具７と左側壁３又は隔壁６の上縁とにより囲まれるフォーク差込孔８が形成される。
【００１７】
前側及び後側でそれぞれ対をなす左側壁３のフォーク差込孔８と隔壁６のフォーク差込孔８とは左右に並べて、共通のフォークを差込めるようにしている。
【００１８】
なお、前記内部空間５には多数のセル９が前後方向及び左右方向に密に並べて収納される。
【００１９】
図２はこのバッテリケース１をフォークリフト１０により吊り上げた状態を模式的に示す側面図であり、このフォークリフト１０は、車体１１の前部にティルト可能に支持した伸縮マスト１２にリフトブラケット１３を介して左右の標準仕様のフォーク１４を昇降可能に支持させてあり、バッテリケース１の左側から例えば左のフォーク１４を後側のフォーク差込孔７に差込むと同時に右側のフォーク１４を前側のフォーク差込孔７に差込んでバッテリケース１を吊り上げる。
【００２０】
ここで、バッテリケース１の左右両側壁３、４の間隔は標準仕様フォーク１４の長さよりも長いが、左側壁３と隔壁６との間隔はこの標準仕様フォーク１４の長さよりも短いので、フォークリフト１０のフォーク１４はこれら左側壁３と隔壁６との２箇所のフォーク差込孔７に挿通され、バッテリケース１を２本のフォーク１４で４点支持されて安定よく吊り上げられることになる。
【００２１】
このバッテリケース１を搭載するフォークリフト１０はバッテリケース１を吊り上げて搬送するフォークリフト１０と同様に構成され、車体１１のフレーム１５の上側に運転台１６とバッテリケース１を収容するバッテリルーム１７とが前後に並べて設けられる。
【００２２】
バッテリルーム１７の上側壁、即ち、バッテリカバー１９はその後端がピン２０を介してカウンタウェイト２１又はフレーム１５に跳ね上げ可能に支持されている。
【００２３】
このフォークリフト１０に搭載されているバッテリケース１を下す手順は、以下の通りである。
【００２４】
即ち、先ず、上面に支持している運転席２２と共にこのバッテリカバー１９を跳ね上げてバッテリルーム１７の上面を開放し、この後、フォーク１４をバッテリルーム１７内に搭載されているバッテリケース１のフォーク差込孔８の高さに上昇させた他のフォークリフト１０を車体１１の左側から接近させ、バッテリルーム１７に搭載されているバッテリケース１のフォーク差込孔８に他のフォークリフト１０のフォーク１４を差込む。
【００２５】
他のフォークリフト１０のフォーク１４をその基端が左側面３のフォーク差込金具７に当接するまで差込んだ後、フォーク１４を更に上昇させてから該フォークリフト１０を後退させることにより、バッテリルーム１７からバッテリケース１が取出され、この後、所定の位置まで運んだ後、バッテリケース１を地面に下し、フォーク１４をフォーク差込孔８から抜取る。
【００２６】
ここで、フォーク１４をその基端がバッテリケース１の左側面３のフォーク差込金具７に当接するまで深くフォーク１４を差込んでも、フォーク１４の先端はバッテリケース１の右側壁４にさえ届かないので、フォーク１４の先端を例えば建屋の壁などの構造物に接触させることなく、バッテリケース１を該構造物に接近させて荷下しすることができる。
【００２７】
地面に置かれている新しいセル９を収納したバッテリケース１の積込みは、この逆の順で行えばよい。
【００２８】
以上に説明したように、このバッテリケース１は本体２の内部空間５を左右に横割りにする隔壁６を設け、本体２の左側壁３とこの隔壁６とにフォーク差込金具７を取付けているので、本体２の左右両側壁３、４の間隔よりも短いフォーク、例えば標準仕様のフォーク１４でもバッテリケース１を吊り上げてフォークリフト１０に積み下ろしすることができる。
【００２９】
又、この実施例によれば、隔壁６を設けることにより、本体２の剛性が高められるので、バッテリケース１の耐久性を高めることができる。
【００３０】
更に、これによれば、バッテリケース１の本体２の左右両側壁３、４の間隔よりも短い標準仕様のフォーク１４をフォーク差込金具７に差込むと、平面視においてフォーク１４の先端が前記本体２の平面投影内に収まるので、地上の構造物にフォーク１４を接触させることなく、該構造物に接近してバッテリケース１を荷下しすることができた。
【００３１】
又、この実施例によれば、隔壁６により本体２が補強されるので、本体２の剛性が高められ、その耐久性を高めることができる。
【００３２】
加えて、この実施例によれば、フォーク１４の基端寄りに荷重が受けられるので、荷重中心をフォークリフト１０の車体１１側に近付けて作業時の安定性を高めることができる。
【００３３】
なお、この実施例においては、棒材、帯板材などを曲げて形成したフォーク差込金具７を用いているが、これに代えてワイヤロープ製のフォーク差込金具を用いることができる。
【００３４】
又、本体２と別体のフォーク差込金具７を用いることに代えて、図３の斜視図に示す本発明の他の実施例のように、少なくとも本体２の左側壁３と隔壁６とをセル９の上面から所定の高さまで延長し、これらの上部にフォーク差込孔８を透設することにより、フォーク差込金具７と左側壁３又は隔壁６とを一体物で形成するようにしてもよい。
【００３５】
更に、本発明の一実施例では、隔壁６が前記内部空間５をその全高にわたって左右に横割りするようにしているが、隔壁６の下縁を本体２の底面に合わせることは本発明に必須のことではなく、例えば隔壁６の下縁をセル９の上面よりも高く位置させてもよい。
【００３６】
もちろん、フォーク差込金具７を左側壁３や隔壁６に固定支持させる必要はなく、例えば前記特許文献１や特許文献２に記載されているようにフォーク差込孔８を有するフォーク差込金具７を左側壁３や隔壁６の上側に出没可能に設けてもよい。
【００３７】
図４は本発明の又他の実施例に係るフォークリフト用バッテリケースを模式的に示す斜視図であり、このバッテリケース１では、左右両側壁３、４の内側に２枚の隔壁６が設けられ、前記フォーク差込金具７が各隔壁６の上縁に固定されている。
【００３８】
図５の側面図に模式的に示すように、この実施例では、バッテリケース１の左側壁３がフォークリフト１０の伸縮マスト１２の前面に接触しない限り、バッテリケース１を前例よりも車体１に近付けて吊り上げることができ、作業の安定性を一層高めることができる。
【００３９】
又、このバッテリケース１によれば、その左側からフォーク１４を差込む場合と同様に、バッテリケース１の右側からでも同じように標準仕様のフォーク１４を差込んで吊り上げることができる。
【００４０】
この実施例のその他の構成、作用ないし効果は前記本発明の一実施例のそれと同様である。
【００４１】
なお、以上の説明ではカウンタバランス型フォークリフトに搭載されるバッテリケースを例に採って本発明を説明したが、本発明はこれに限らず、例えばリーチ型フォークリフトなど、他の型式のフォークリフトに搭載されるバッテリケースにも適用されるものである。
【００４２】
【発明の効果】
以上に説明したように、本発明の請求項１に記載の発明は、複数のバッテリセルを収納するバッテリケースにその内部空間を横割りする隔壁を設け、該隔壁と該隔壁に対向する側壁とにフォーク差込用孔を有する差込部を形成したことを特徴とするので、以下の作用ないし効果を得ることができる。
【００４３】
先ず、フォーク差込金具の間隔がバッテリケース本体の互いに対向する側壁の間隔よりも短くなるという作用を得ることができるので、この間隔よりも短いフォーク、例えば標準仕様のフォークを備えるフォークリフトでも安全にバッテリケースを吊り上げて他のフォークリフトに積み下ろしできるという効果を得ることができる。
【００４４】
又、隔壁によりバッテリケース本体が補強されるという作用を得ることができるので、剛性が高く、耐久性が高いバッテリケースを得ることができる。
【００４５】
更に、バッテリケース本体の互いに対向する側壁の間隔よりも短いフォーク、例えば標準仕様のフォークをフォーク差込金具に差込むと、平面視においてフォークの先端がバッテリケース本体の平面投影内に収まるという作用を得ることができるので、フォークの先端を他物に接触させることなく、他物の間近に置かれたバッテリケースを吊り上げたり、他物の間近にバッテリケースを置いたりすることができるという効果を得ることができる。
【００４６】
加えて、フォークの基端寄りに荷重が受けられるという作用を得ることができるので、荷重中心を車体に近付けて作業の安定性を高めることができるという効果を得ることができる。
【００４７】
又、本発明の請求項２に記載の発明は、複数のバッテリセルを収納するバッテリケースにその内部空間を左右に横割りする複数の隔壁を設け、これらの隔壁にフォーク差込用の孔を有する差込部を形成したことを特徴とするバッテリケースであるので、本発明の請求項１に記載の発明と同様の作用ないし効果を得ることができる他、バッテリケースがマストに接触しない範囲でバッテリケースを更に車体寄りに吊下げることができ、荷重中心を車体に近付けて作業の安定性を高めることができるという効果を得ることができる。又、バッテリケースの左右どちら側からでも同じように標準仕様のフォークを差込んで吊り上げることができるという効果を得ることができる。
【図面の簡単な説明】
【図１】本発明の斜視図である。
【図２】本発明を搭載し、本発明の積み下ろしに用いるフォークリフトの側面図である。
【図３】本発明の斜視図である。
【図４】本発明の斜視図である。
【図５】本発明を搭載し、本発明の積み下ろしに用いるフォークリフトの側面図である。
【符号の説明】
１  バッテリケース
２  本体
３  左側壁
４  右側壁
５  内部空間
６  隔壁
７  フォーク差込金具
８  フォーク差込孔
１０  フォークリフト
【図１】
2004331314.tif 000003
【図２】
2004331314.tif 000004
【図３】
2004331314.tif 000005
【図４】
2004331314.tif 000006
【図５】
2004331314.tif 000007